(57)【要約】【課題】キースイッチに対するピッキング行為等の不正行為を防止すること。【解決手段】複数のキースイッチ等からの信号入力を受け付け、その状態を監視する警戒解除制御盤を設け、その制御盤に、複数のキースイッチ等からの信号入力の受け付け順及び、その信号がどのくらいの時間間隔以内に入力されたものであるかを判定する機能を備えさせたものであり、異常であるという判定結果が出たときには、解除信号を出力させないだけではなく、警報信号を出力するようにした。【選択図】図２
2005078136.tif 000002
【特許請求の範囲】
【請求項１】
センサ入力を受けて所定の警報処理をおこなう監視制御盤に接続して用いる装置であって、複数のキースイッチ等からの信号入力を受け付け、その状態を監視し判定をおこなう判定部と、前記判定部がおこなう判定基準を設定する判定条件入力部と、前記判定部からの正常であるという判定結果に基づく信号を出力する警戒解除信号出力部と、前記判定部からの異常であるという判定結果に基づく信号を出力する警報信号出力部とを備えたことを特徴とする警戒解除制御盤。
【請求項２】
前記判定部がおこなう判定の基準は、複数のキースイッチ等からの解除信号入力の受け付け順及び、その信号がどのくらいの時間間隔以内に入力されたものであるかを判定するよう指定した内容を含むものであり、前記判定部は、前記判定基準と合致する信号入力があったときを正常と判定し、前記判定基準と合致しない信号入力があったときを異常と判定することを特徴とする請求項１に記載の警戒解除制御盤。
【請求項３】
前記判定部がおこなう判定基準の設定は、判定条件入力部に接続するパソコンからの操作によりおこなうものであることを特徴とする請求項２に記載の警戒解除制御盤。
【発明の詳細な説明】
【技術分野】
【０００１】
本発明は、防犯センサと、防犯センサからの侵入者検知信号を受けて所定の警報処理をおこなう監視制御盤と、警報監視盤の警戒状態と解除状態とを切り替えるキースイッチ等で構成される防犯システムに関するものであり、とくにキースイッチに対するピッキング行為等の不正行為の防止技術に関するものである。
【背景技術】
【０００２】
従来の防犯システムは、監視対象となる家屋や社屋等の施設の通用口近辺に、防犯システムの警戒状態と解除状態とを切り替えるキースイッチを設置し、その施設の最終退出者が、キースイッチに適合する鍵を用いて防犯システムを警戒状態に切替え、最初に入場する者が、キースイッチに適合する鍵を用いて解除状態に切り替えるようにしている。防犯システムの管理を任された者だけに、キースイッチに適合する鍵の所持が許されており、それ以外の者が、防犯システムを解除したり、警戒状態にしたりすることはできないようになっている。警戒状態と解除状態を、鍵を用いずに切り替える防犯システムが存在する（例えば、特許文献１参照。）。しかし、このようなシステムであっても、どれか１つの解除用端末装置を作動させるか、配線部を細工して疑似解除信号を作成するといった操作等により、防犯システムの解除は可能である。このため、より厳重な防犯システムを構成することが求められている。
【特許文献１】特開２００３−１０１６５３号公報
【発明の開示】
【発明が解決しようとする課題】
【０００３】
キースイッチは、それに適合する鍵の回転にともない駆動される部品が、スイッチをオン、オフさせる構造となっており、簡単にはスイッチが切り替わることがないようになっている。しかし、先の尖った特殊工具を鍵の代わりに用いる、いわゆるピッキングという手口により、スイッチを操作し、防犯システムを警戒状態から解除状態へ切り替え、泥棒に入るといった事例が報告されるようになってきた。
【課題を解決するための手段】
【０００４】
本発明は、複数のキースイッチ等からの信号入力を受け付け、その状態を監視する警戒解除制御盤を設け、その制御盤に、複数のキースイッチ等からの信号入力の受け付け順及び、その信号がどのくらいの時間間隔以内に入力されたものであるかを判定する機能を備えさせたものであり、異常であるという判定結果が出たときには、解除信号を出力させないだけではなく、警報信号を出力するようにした。
【発明の効果】
【０００５】
本発明によれば、複数のキースイッチを、設定された条件通りに操作しない限り防犯システムを解除することができないので、ピッキングによる不正操作を実質上不可能とすることができる。最初に操作するキースイッチを間違えるだけで、警報信号が発せられ、また、順番を間違えなくても、設定された時間以内に、キーを操作しなければ、その時点で警報信号が発せられるので、高度なピッキング技能を持ってしても、解除は不可能である。
鍵による操作を前提とした従来のキースイッチの他に、警戒状態と解除状態を、鍵を用いずに切り替える端末装置として実用化されているカード式の装置等も、本発明の警戒解除制御盤の入力として用いることが可能である。キースイッチを１台だけ用いた防犯システムに、本発明の警戒解除制御盤と、１台のキースイッチを追加するだけで、その防犯システムに対する不正操作を実質上不可能とすることができる。
【発明を実施するための最良の形態】
【０００６】
図１は、本発明の警戒解除制御盤を用いた防犯システムのブロック図である。１は警戒解除制御盤であり、Ｋ１、Ｋ２、Ｋ３の３台のキースイッチからの警戒・解除信号が、信号線Ｍ１、Ｍ２、Ｍ３を通じて入力されるようになっている。監視制御盤２とは、信号線Ｌ４、Ｌ０，Ｎで接続されており、Ｌ４からは、警報信号が、Ｌ０からは、警戒・解除信号が、監視制御盤２へ向けて出力される。信号線Ｎは、監視制御盤２の状態を警戒解除制御盤１へ送るためのものであり、警戒状態、解除状態のどちらの状態であるのかを送信するものである。３は、パソコンであり、防犯システムの設置時や設置後の点検時に接続し、警戒解除制御盤の判定部が実行する判定基準の設定をおこなう。監視制御盤２には、Ｓ１、Ｓ２、Ｓ３の３台の防犯センサからの検知信号が、信号線Ｌ１、Ｌ２、Ｌ３を通じて入力されるようになっている。
【０００７】
図２は、本発明の警戒解除制御盤の構成を示したブロック図である。判定部１２は、キースイッチ等からの３系統の入力と、監視制御盤からの状態信号をもとに、正常か異常かの判定をおこなう。判定部１２がおこなう判定の、判定条件を設定するのが判定条件入力部１１である。複数のキースイッチ等からの解除信号入力の受け付け順及び、その信号がどのくらいの時間間隔以内に入力されたときに正常と判定するのかといった条件設定を、各種スイッチ（図示省略）の切替によりおこなう。必要に応じ、これらの条件設定を、判定条件入力部に接続するパソコン３からの操作によりおこなうことができるようにしてある。
【０００８】
警戒解除信号出力部１３は、判定部１２からの正常であるという判定結果に基づく信号を出力するものであり、監視制御盤２から、警戒状態であるという状態信号が入力されている条件下では、解除信号を出力する。警報信号出力部１４は、判定部１２からの異常であるという判定結果に基づく信号を出力するものであり、警報信号を出力する。
【０００９】
例えば、監視制御盤が警戒状態となっており、３台のキースイッチがすべて警戒状態になっているとき、警戒解除制御盤１の、３系統の入力が、Ｍ１、Ｍ２、Ｍ３の順番に解除信号に切り替わり、しかもその間隔が、１０秒以内であるときを、正常と判断する判定条件であるとする。この条件のときには、キースイッチＫ１を解除して、１０秒以内にキースイッチＫ２を解除し、さらに、キースイッチＫ２を解除してから、１０秒以内にキースイッチＫ３を解除したときにはじめて、判定部１２が正常であるという判定をする。これを受けて、警戒解除信号出力部１３から解除信号が出力され、監視制御盤２が解除状態となる。これ以外の手順で、キースイッチを操作すると、警報信号出力部１４から、警報信号が出力され、監視制御盤２が警報動作をおこなう。
【００１０】
監視制御盤が解除状態となっているときには、３台のキースイッチがすべて解除状態から警戒状態に切り替わったときに、正常と判断する判定条件とする。この場合は、３台のキースイッチの操作順および操作間隔は、指定されておらず、警戒解除制御盤１の、３系統の入力（Ｍ１、Ｍ２、Ｍ３）が警戒信号に切り替わったときに、警戒解除信号出力部１３から警戒信号が出力され、監視制御盤２が警戒状態となる。
【００１１】
判定条件は、以上のものに限らず、各種の設定を実現可能とする。３系統の入力が切り替わる順番、その間隔や、監視制御盤が解除状態となっているときの、解除状態から警戒状態に切り替える条件等、自由に設定できるようにする。また、入力される信号や、出力される信号の形態も、２路信号、３路信号等に対応可能とし、ワンショット出力、ラッチ出力のどの形態でも使用可能とする。監視制御盤２の状態が、信号線Ｌ４を通じて警戒解除制御盤１側で判別可能となっているような場合は、信号線Ｎは不要である。
【００１２】
警戒解除制御盤１には、複数のキースイッチ等からの信号入力の受け付け状態、警戒解除信号出力部や、警報信号出力部の出力状態を表示する、各種表示灯を設けておく。こうすることにより、既存のシステムに本装置を追加設置したときに、信号の流れを含む全体の状態確認が可能となる。
【図面の簡単な説明】
【００１３】
【図１】本発明の警戒解除制御盤を用いた防犯システムのブロック図である。
【図２】本発明の警戒解除制御盤の構成を示したブロック図である。
【符号の説明】
【００１４】
１・・・警戒解除制御盤
２・・・監視制御盤
３・・・パソコン
Ｋ１・・・キースイッチ
Ｋ２・・・キースイッチ
Ｋ３・・・キースイッチ
Ｌ０・・・信号線
Ｌ１・・・信号線
Ｌ２・・・信号線
Ｌ３・・・信号線
Ｍ１・・・信号線
Ｍ２・・・信号線
Ｍ３・・・信号線
Ｎ・・・信号線
Ｓ１・・・防犯センサ
Ｓ２・・・防犯センサ
Ｓ３・・・防犯センサ
１１・・・判定条件入力部
１２・・・判定部
１３・・・警戒解除信号出力部
１４・・・警報信号出力部
【図１】
2005078136.tif 000003
【図２】
2005078136.tif 000004